(57)【特許請求の範囲】
【請求項１】
流通する空気が吸着剤と接触する第１通路（85）と、該第１通路（85）で生じた吸着熱を奪うために空気が流通する第２通路（86）とを備える吸着素子であって、
長方形板状の仕切部材（83,210）を所定間隔で積層して直方体状に形成され、上記仕切部材（83,210）の積層方向に上記第１通路（85）と上記第２通路（86）とが交互に形成され、
上記仕切部材（83,210）の長辺側に位置する側面に上記第１通路（85）が開口し、
上記仕切部材（83,210）の短辺側に位置する側面に上記第２通路（86）が開口している吸着素子。
【請求項２】
請求項１記載の吸着素子において、
仕切部材（83,210）は、長辺の長さが短辺の長さの４倍以下となるように形成されている吸着素子。
【請求項３】
流通する空気が吸着剤と接触する第１通路（85）と、該第１通路（85）で生じた吸着熱を奪うために空気が流通する第２通路（86）とが形成された素子要素（251,…）を複数備え、
それぞれの第１通路（85）を第１空気が流れて第２通路（86）を第２空気が流れるように上記複数の素子要素（251,…）を組み合わせて構成される吸着素子（81,82）であって、
全体として直方体状に形成されると共に、上記第１通路（85）及び第２通路（86）の何れも開口しない閉塞端面（240）が長方形状となり、上記閉塞端面（240）の長辺側に位置する側面に第１通路（85）が開口して上記閉塞端面（240）の短辺側に位置する側面に第２通路（86）が開口するように上記素子要素（251,…）が配置されている吸着素子。
【請求項４】
請求項３記載の吸着素子において、
吸着素子（81,82）の閉塞端面（240）は、長辺の長さが短辺の長さの４倍以下となっている吸着素子。
【請求項５】
請求項１，２，３又は４記載の吸着素子（81,82）を複数備え、
第１の吸着素子（81）で空気が減湿されると同時に第２の吸着素子（82）で吸着剤が再生される第１動作と、
第２の吸着素子（82）で空気が減湿されると同時に第１の吸着素子（81）で吸着剤が再生される第２動作とを交互に繰り返し、
取り込んだ空気を減湿して室内へ供給する運転、又は取り込んだ空気を加湿して室内へ供給する運転を行う空気調和装置。
【請求項６】
請求項１，２，３又は４記載の吸着素子（81,82）と、吸着剤を再生するために上記吸着素子（81,82）へ供給される空気を加熱する加熱器（92）とを備え、
第１空気中の水分を上記吸着素子（81,82）の吸着剤に吸着させる動作と、上記加熱器（92）で加熱された第２空気により上記吸着素子（81,82）の吸着剤を再生する動作とを行い、
減湿された第１空気又は加湿された第２空気を室内へ供給する空気調和装置。
【請求項７】
請求項２又は４記載の吸着素子（81,82）と、吸着剤を再生するために上記吸着素子（81,82）へ供給される空気を加熱する加熱器（92）とを備え、
第１空気中の水分を上記吸着素子（81,82）の吸着剤に吸着させる動作と、上記加熱器（92）で加熱された第２空気により上記吸着素子（81,82）の吸着剤を再生する動作とを行い、
減湿された第１空気又は加湿された第２空気を室内へ供給すると共に、
吸着剤を再生するために上記吸着素子（81,82）へ供給される第２空気の温度が１００℃以下となっている空気調和装置。
【発明の詳細な説明】
【０００１】
【発明の属する技術分野】
本発明は、吸着剤に空気中の水蒸気を吸脱着させるための吸着素子、及びこの吸着素子を備えて空気の湿度調節を行う空気調和装置に関する。
【０００２】
【従来の技術】
従来より、特開２００１−６２２４２号公報に開示されているように、吸着剤を有する吸着素子が知られている。この吸着素子には、吸着側の空気通路と冷却側の空気通路とが区画形成されている。また、吸着側の空気通路には、その内面に吸着剤が塗布されている。
【０００３】
吸着素子の吸着側の空気通路へ空気を導入すると、この空気に含まれる水蒸気が吸着剤に吸着される。水蒸気が吸着剤に吸着されると吸着熱が発生し、この吸着熱によって吸着側の空気通路を流れる空気が加熱される。そして、吸着側の空気通路で空気の温度が上昇してその相対湿度が低下し、吸着剤に吸着される水蒸気の量が減少してしまう。そこで、上記の吸着素子では、冷却用の空気通路に冷却用の空気を流し、吸着熱を奪うことで空気の減湿量を確保している。
【０００４】
【発明が解決しようとする課題】
上記の吸着素子において、吸着側の空気通路では、吸着剤に水蒸気を確実に吸着させるため、吸着剤と空気とを確実に接触させるのが望ましい。一方、冷却側の空気通路では、吸着側の空気と冷却側の空気との間の熱貫流率を高めて両空気間における伝熱量を増大させるのが望ましい。
【０００５】
ところが、従来の吸着素子では、製造上の問題等に基づいて吸着素子の形状が定められており、吸着側と冷却側における機能の相違を考慮した形状とはなっていなかった。つまり、従来の吸着素子では、断面が正方形状の四角柱状に形成されていたため、両空気通路の開口面積が等しくなっていた。このため、従来の吸着素子では、吸着剤の吸着能力を充分に生かすことができず、吸着素子が吸着し得る水蒸気量を充分に確保できないと言う問題があった。また、吸着量を確保しようとすると、吸着素子の大型化を招くという問題があった。
【０００６】
本発明は、かかる点に鑑みてなされたものであり、その目的とするところは、吸着素子の形状を最適化してその吸着能力の向上を図り、併せて高性能な吸着素子を用いた空気調和装置を提供することにある。
【０００７】
【課題を解決するための手段】
本発明が講じた第１の解決手段は、流通する空気が吸着剤と接触する第１通路（85）と、該第１通路（85）で生じた吸着熱を奪うために空気が流通する第２通路（86）とを備える吸着素子を対象としている。そして、長方形板状の仕切部材（83,210）を所定間隔で積層して直方体状に形成され、上記仕切部材（83,210）の積層方向に上記第１通路（85）と上記第２通路（86）とが交互に形成され、上記仕切部材（83,210）の長辺側に位置する側面に上記第１通路（85）が開口し、上記仕切部材（83,210）の短辺側に位置する側面に上記第２通路（86）が開口しているものである。
【０００８】
本発明が講じた第２の解決手段は、上記第１の解決手段において、仕切部材（83,210）は、長辺の長さが短辺の長さの４倍以下となるように形成されているものである。
【０００９】
本発明が講じた第３の解決手段は、流通する空気が吸着剤と接触する第１通路（85）と、該第１通路（85）で生じた吸着熱を奪うために空気が流通する第２通路（86）とが形成された素子要素（251,…）を複数備え、それぞれの第１通路（85）を第１空気が流れて第２通路（86）を第２空気が流れるように上記複数の素子要素（251,…）を組み合わせて構成される吸着素子（81,82）を対象としている。そして、全体として直方体状に形成されると共に、上記第１通路（85）及び第２通路（86）の何れも開口しない閉塞端面（240）が長方形状となり、上記閉塞端面（240）の長辺側に位置する側面に第１通路（85）が開口して上記閉塞端面（240）の短辺側に位置する側面に第２通路（86）が開口するように上記素子要素（251,…）が配置されるものである。
【００１０】
本発明が講じた第４の解決手段は、上記第３の解決手段において、吸着素子（81,82）の閉塞端面（240）は、長辺の長さが短辺の長さの４倍以下となっているものである。
【００１１】
本発明が講じた第５の解決手段は、空気調和装置を対象とするものである。そして、上記第１，第２，第３又は第４解決手段に係る吸着素子（81,82）を複数備え、第１の吸着素子（81）で空気が減湿されると同時に第２の吸着素子（82）で吸着剤が再生される第１動作と、第２の吸着素子（82）で空気が減湿されると同時に第１の吸着素子（81）で吸着剤が再生される第２動作とを交互に繰り返し、取り込んだ空気を減湿して室内へ供給する運転、又は取り込んだ空気を加湿して室内へ供給する運転を行うものである。
【００１２】
本発明が講じた第６の解決手段は、空気調和装置を対象とするものである。そして、上記第１，第２，第３又は第４解決手段に係る吸着素子（81,82）と、吸着剤を再生するために上記吸着素子（81,82）へ供給される空気を加熱する加熱器（92）とを備え、第１空気中の水分を上記吸着素子（81,82）の吸着剤に吸着させる動作と、上記加熱器（92）で加熱された第２空気により上記吸着素子（81,82）の吸着剤を再生する動作とを行い、減湿された第１空気又は加湿された第２空気を室内へ供給するものである。
【００１３】
本発明が講じた第７の解決手段は、空気調和装置を対象とするものである。そして、上記第２又は第４解決手段に係る吸着素子（81,82）と、吸着剤を再生するために上記吸着素子（81,82）へ供給される空気を加熱する加熱器（92）とを備え、第１空気中の水分を上記吸着素子（81,82）の吸着剤に吸着させる動作と、上記加熱器（92）で加熱された第２空気により上記吸着素子（81,82）の吸着剤を再生する動作とを行い、減湿された第１空気又は加湿された第２空気を室内へ供給すると共に、吸着剤を再生するために上記吸着素子（81,82）へ供給される第２空気の温度が１００℃以下となっているものである。
【００１４】
−作用−
上記第１の解決手段では、板状の仕切部材（83,210）を積層することによって吸着素子（81,82）が形成される。積層される複数の仕切部材（83,210）は、それぞれが長方形状に形成されている。従って、吸着素子（81,82）は、全体として直方体状に形成される。また、仕切部材（83,210）は、隣接する仕切部材（83,210）との間に所定の間隔をおいて積層されている。そして、吸着素子（81,82）では、仕切部材（83,210）の積層方向に、第１通路（85）と第２通路（86）とが交互に区画形成される。
【００１５】
本解決手段の吸着素子（81,82）では、仕切部材（83,210）の長辺側に位置する側面に第１通路（85）が開口し、仕切部材（83,210）の短辺側に位置する側面に第２通路（86）が開口している。つまり、仕切部材（83,210）の四辺に沿って形成される吸着素子（81,82）の側面のうち、広い方の側面に第１通路（85）が開口し、狭い方の側面に第２通路（86）が開口している。従って、仕切部材（83,210）を正方形板状とする従来の吸着素子に比べ、吸着素子（81,82）の側面における各通路（85,86）の開口部の面積は、吸着剤を有する第１通路（85）の開口面積が大きくなる一方、冷却用の空気を流すための第２通路（86）の開口面積が小さくなる。
【００１６】
上記第２の解決手段において、吸着素子（81,82）を構成する仕切部材（83,210）は、その長辺の長さがその短辺の長さの４倍以下となる長方形状に形成されている。従って、吸着素子（81,82）においては、仕切部材（83,210）の長辺側に位置する側面の面積が、仕切部材（83,210）の短辺側に位置する側面の面積の４倍以下となる。また、第１通路（85）の開口面積は、第２通路（86）の開口面積の４倍以下となる。ただし、第１通路（85）の開口面積が、第２通路（86）の開口面積以下となることはない。
【００１７】
上記第３の解決手段では、１つの吸着素子（81,82）が複数の素子要素（251,…）によって構成される。各素子要素（251,…）には、第１通路（85）と第２通路（86）とが形成される。複数の素子要素（251,…）を組み合わせて形成された吸着素子（81,82）では、各素子要素（251,…）の第１通路（85）を第１空気が流れると共に、各素子要素（251,…）の第２通路（86）を第２空気が流れる状態となっている。
【００１８】
本解決手段において、複数の素子要素（251,…）からなる吸着素子（81,82）は、その全体の形状が直方体状に形成されている。直方体状の吸着素子（81,82）において、素子要素（251,…）の端面で構成される吸着素子（81,82）の閉塞端面（240）は、長方形状に形成されている。また、この吸着素子（81,82）では、閉塞端面（240）の長辺側の側面に第１通路（85）が開口すると共に、閉塞端面（240）の短辺側の側面に第２通路（86）が開口している。つまり、本解決手段の吸着素子（81,82）では、吸着素子（81,82）の全体が上述のような状態となるように、複数の素子要素（251,…）が所定の姿勢で配置されている。
【００１９】
上述のように、本解決手段の吸着素子（81,82）では、閉塞端面（240）の長辺側に位置する側面に第１通路（85）が開口し、閉塞端面（240）の短辺側に位置する側面に第２通路（86）が開口する状態となっている。つまり、閉塞端面（240）の四辺に沿って形成される吸着素子（81,82）の側面のうち、広い方の側面に第１通路（85）が開口し、狭い方の側面に第２通路（86）が開口している。
【００２０】
上記第４の解決手段では、複数の素子要素（251,…）で構成される吸着素子（81,82）の閉塞端面（240）は、その長辺の長さがその短辺の長さの４倍以下となる長方形状に形成されている。従って、吸着素子（81,82）においては、閉塞端面（240）の長辺側に位置する側面の面積が、閉塞端面（240）の短辺側に位置する側面の面積の４倍以下となる。また、吸着素子（81,82）全体で見れば、第１通路（85）の開口面積が第２通路（86）の開口面積の４倍以下となる。ただし、第１通路（85）の開口面積が、第２通路（86）の開口面積以下となることはない。
【００２１】
上記第５の解決手段では、空気調和装置に複数の吸着素子（81,82）が設けられる。この空気調和装置は、第１動作と第２動作とを交互に行う。第１動作においては、第１の吸着素子（81）で吸着剤に水蒸気を吸着させて空気を減湿する動作と、第２の吸着素子（82）で吸着剤から水蒸気を脱離させて吸着剤を再生する動作とが同時に行われる。一方、第２動作においては、第２の吸着素子（82）で吸着剤に水蒸気を吸着させて空気を減湿する動作と、第１の吸着素子（81）で吸着剤から水蒸気を脱離させて吸着剤を再生する動作とが同時に行われる。つまり、上記空気調和装置では、吸着剤による空気の減湿と吸着剤の再生とが、各吸着素子（81,82）において交互に繰り返し行われる。
【００２２】
本解決手段の調湿装置は、室内へ供給される空気の減湿又は加湿を行う。つまり、この調湿装置は、吸着素子（81,82）に水蒸気を奪われて減湿された空気を室内へ供給する運転、又は吸着素子（81,82）から脱離した水蒸気を付与されて加湿された空気を室内へ供給する運転を行う。尚、上記調湿装置は、減湿された空気を室内へ供給する運転と、加湿された空気を室内へ供給する運転とを切り換え可能に構成されたものであってもよい。
【００２３】
上記第６，第７の解決手段では、吸着素子（81,82）と加熱器（92）とが空気調和装置に設けられる。この空気調和装置には、第１空気と第２空気とが取り込まれる。第１空気を吸着素子（81,82）の第１通路（85）へ導入すると、第１空気中の水分が吸着剤に吸着される。一方、第２空気を加熱器（92）で加熱してから吸着素子（81,82）の第１通路（85）へ導入すると、吸着剤から水分が脱離する。つまり、吸着剤が再生され、脱離した水分が第２空気に付与される。
【００２４】
これら各解決手段の調湿装置は、室内へ供給される空気の減湿又は加湿を行う。つまり、この調湿装置は、吸着素子（81,82）に水蒸気を奪われて減湿された第１空気を室内へ供給する運転、又は吸着素子（81,82）から脱離した水蒸気を付与されて加湿された第２空気を室内へ供給する運転を行う。尚、上記調湿装置は、減湿された第１空気を室内へ供給する運転と、加湿された第２空気を室内へ供給する運転とを切り換え可能に構成されたものであってもよい。
【００２５】
そして、上記第７の解決手段では、吸着素子（81,82）へ導入される第２空気の温度が１００℃以下とされる。つまり、加熱器（92）で加熱されて吸着素子（81,82）へ供給される第２空気は、その温度が１００℃以下となっている。
【００２６】
【発明の効果】
本発明では、吸着素子（81,82）において、仕切部材（83,210）を長方形板状に形成したり、閉塞端面（240）を長方形状に形成したりしている。更に、本発明に係る吸着素子（81,82）では、仕切部材（83,210）や閉塞端面（240）の長辺側に位置する広い方の側面に第１通路（85）を開口させ、それらの短辺側に位置する狭い方の側面に第２通路（86）を開口させている。
【００２７】
このため、本発明によれば、仕切部材（83,210）や閉塞端面（240）が正方形状である従来のものに比べ、冷却用の空気を流すための第２通路（86）の開口面積を縮小でき、該第２通路（86）での空気流速を上昇させることができる。また、それと同時に、吸着剤を有する第１通路（85）の開口面積を拡大でき、該第１通路（85）での空気流速を低下させることができる。
【００２８】
この結果、第１通路（85）において吸着剤と空気とを確実に接触させつつ、第２通路（86）での空気流速を高めることで、第１通路（85）の空気から第２通路（86）の空気へ移動する熱量を増大させることができる。従って、本発明によれば、吸着素子において、第１通路（85）での吸着剤と空気との接触を確保しつつ、第２通路（86）の空気が吸熱する吸着熱の量を増大させることができ、吸着素子（81,82）の吸着能力を高めることができる。
【００２９】
【発明の実施の形態１】
以下、本発明の実施形態を図面に基づいて詳細に説明する。尚、以下の説明において、「上」 「下」 「左」 「右」 「前」 「後」 「手前」 「奥」 は、何れも参照する図面におけるものを意味している。
【００３０】
本実施形態１に係る空気調和装置は、減湿して冷却した外気を室内へ供給する除湿運転と、加熱して加湿した外気を室内へ供給する加湿運転とを切り換えて行うように構成されている。また、この空気調和装置は、２つの吸着素子（81,82）を備え、いわゆるバッチ式の動作を行うように構成されている。ここでは、本実施形態１に係る空気調和装置の構成について、図１〜図５を参照しながら説明する。
【００３１】
図１，図５に示すように、上記空気調和装置は、やや扁平な直方体状のケーシング（10）を備えている。このケーシング（10）には、４つの回転ダンパ（71,72,73,74）と、２つの吸着素子（81,82）と、１つの冷媒回路とが収納されている。尚、図１においては、上記回転ダンパ（71〜74）の図示を省略している。
【００３２】
図２に示すように、上記回転ダンパ（71〜74）は、円板状の端面部（75）と、該端面部（75）の外周から垂直に延びる周側部（76）とを備えている。端面部（75）は、その一部が中心角９０°の扇形状に切り欠かれている。また、周側部（76）についても、端面部（75）の切り欠きに対応する部分が切り欠かれている。端面部（75）及び周側部（76）の切り欠き部分は、回転ダンパ（71〜74）の切欠き開口（77）を構成している。この回転ダンパ（71〜74）は、端面部（75）の中心を通る軸周りに回転可能に構成されている。
【００３３】
図３に示すように、上記吸着素子（81,82）は、平板状の平板部材（83）と波形状の波板部材（84）とを交互に積層して構成されている。平板部材（83）は、長方形板状の仕切部材を構成している。また、平板部材（83）は、その長辺の長さＬ1がその短辺の長さＬ2の２倍となる長方形状に形成されている。つまり、この平板部材（83）では、Ｌ1/Ｌ2＝２となっている。波板部材（84）は、隣接する波板部材（84）の稜線方向が互いに９０°ずれる姿勢で積層されている。そして、吸着素子（81,82）は、全体として直方体状ないし四角柱状に形成されている。つまり、各吸着素子（81,82）は、その端面が平板部材（83）と同様の長方形状に形成されている。
【００３４】
上記吸着素子（81,82）には、平板部材（83）及び波板部材（84）の積層方向において、第１通路である調湿側通路（85）と第２通路である冷却側通路（86）とが平板部材（83）を挟んで交互に区画形成されている。吸着素子（81,82）において、平板部材（83）の長辺側の側面に調湿側通路（85）が開口し、平板部材（83）の短辺側の側面に冷却側通路（86）が開口している。また、調湿側通路（85）に臨む平板部材（83）の表面や、調湿側通路（85）に設けられた波板部材（84）の表面には、水蒸気を吸着するための吸着剤が塗布されている。この種の吸着剤としては、例えばシリカゲル、ゼオライト、イオン交換樹脂等が挙げられる。
【００３５】
上記冷媒回路は、圧縮機（91）と、凝縮器である再生熱交換器（92）と、膨張弁と、蒸発器である第１及び第２冷却熱交換器（93,94）とを配管接続して形成された閉回路である。尚、冷媒回路の全体構成及び膨張弁の図示は省略する。この冷媒回路は、充填された冷媒を循環させて、蒸気圧縮式の冷凍サイクルを行うように構成されている。また、冷媒回路では、第１冷却熱交換器（93）と第２冷却熱交換器（94）とが並列に接続されている。そして、冷媒回路は、第１冷却熱交換器（93）だけを蒸発器として第２冷却熱交換器（94）へ冷媒を導入しない動作と、第２冷却熱交換器（94）だけを蒸発器として第１冷却熱交換器（93）へ冷媒を導入しない動作とを切り換えて行うように構成されている。
【００３６】
図１，図５に示すように、上記ケーシング（10）において、最も手前側には室外側パネル（11）が設けられ、最も奥側には室内側パネル（12）が設けられている。室外側パネル（11）には、その右上隅部に給気側入口（13）が形成され、その下部の左寄りに排気側出口（16）が形成されている。一方、室内側パネル（12）には、その右下隅部に給気側出口（14）が形成され、その左上隅部に排気側入口（15）が形成されている。
【００３７】
上記ケーシング（10）には、４枚の仕切板（21,24,34,31）が収納されている。これら仕切板（21,24,…）は、手前から奥に向かって順に立設され、ケーシング（10）の内部空間を前後に仕切っている。また、これら仕切板（21,24,…）によって区画されたケーシング（10）の内部空間は、それぞれが更に上下に仕切られている。
【００３８】
室外側パネル（11）と第１仕切板（21）の間には、上側の第１上部流路（41）と下側の第１下部流路（42）とが区画形成されている。第１上部流路（41）は、給気側入口（13）によって室外空間と連通されている。第１下部流路（42）は、排気側出口（16）によって室外空間と連通されている。この第１下部流路（42）には、第１冷却熱交換器（93）が設置されている。また、室外側パネル（11）と第１仕切板（21）の間には、その左寄りに圧縮機（91）が設置されている。
【００３９】
第１仕切板（21）と第２仕切板（24）の間には、２つの回転ダンパ（71,72）が左右に並んで設置されている。具体的には、右寄りに第１回転ダンパ（71）が設けられ、左寄りに第２回転ダンパ（72）が設けられている。これらの回転ダンパ（71,72）は、端面部（75）が第２仕切板（24）の方を向く姿勢で設置されている。また、これらの回転ダンパ（71,72）は、第１仕切板（21）と第２仕切板（24）の両方に接触しながら回転するように配置されている。
【００４０】
第１仕切板（21）と第２仕切板（24）の間は、上下に区画されると同時に、上下の各空間が第１及び第２回転ダンパ（71,72）によって更に３つに仕切られている。第１回転ダンパ（71）の右側には、上側の第２右上部流路（43）と下側の第２右下部流路（44）とが区画形成されている。第１回転ダンパ（71）と第２回転ダンパ（72）の間には、上側の第２中央上部流路（45）と下側の第２中央下部流路（46）とが区画形成されている。第２回転ダンパ（72）の左側には、上側の第２左上部流路（47）と下側の第２左下部流路（48）とが区画形成されている。
【００４１】
上記第１仕切板（21）には、２つの開口が形成されている。右側に開口する第１右側開口（22）は、円形の開口であって、第１回転ダンパ（71）に対応する位置に形成されている。左側に開口する第１左側開口（23）は、円形の開口であって、第２回転ダンパ（72）に対応する位置に形成されている。第１右側開口（22）及び第１左側開口（23）には、それぞれ開閉シャッタが設けられている。この開閉シャッタを操作することにより、第１右側開口（22）及び第１左側開口（23）は、その上半分だけが開口する状態と、その下半分だけが開口する状態とに切り換わる。
【００４２】
第２仕切板（24）と第３仕切板（34）の間には、２つの吸着素子（81,82）が左右に並んで設置されている。具体的には、右寄りに第１吸着素子（81）が設けられ、左寄りに第２吸着素子（82）が設けられている。これら吸着素子（81,82）は、それぞれの長手方向がケーシング（10）の長手方向と一致する姿勢で、平行に配置されている。
【００４３】
図４にも示すように、これら吸着素子（81,82）は、その端面を構成する平板部材（83）の一方の対角線が概ね水平となる姿勢で設置されている。また、各吸着素子（81,82）は、それぞれの端面における水平姿勢の対角線が、互いに同一直線上に並ぶように配置されている。更に、各吸着素子（81,82）は、それぞれの長辺側の側面が同一方向に傾斜した斜面をなす姿勢で設置されると共に、その端面の中心を通る軸周りに回転可能に構成されている。
【００４４】
第２仕切板（24）と第３仕切板（34）の間は、上下に区画されると同時に、上下の各空間が第１及び第２吸着素子（81,82）によって更に３つに仕切られている。つまり、第１吸着素子（81）の右側には、上側の第３右上部流路（51）と下側の第３右下部流路（52）とが区画形成されている。第１吸着素子（81）と第２吸着素子（82）の間には、上側の第３中央上部流路（53）と下側の第３中央下部流路（54）とが区画形成されている。第２吸着素子（82）の左側には、上側の第３左上部流路（55）と下側の第３左下部流路（56）とが区画形成されている。また、第３中央下部流路（54）は、再生用の空気流路を構成している。冷媒回路の再生熱交換器（92）は、加熱器を構成するものであって、第３中央下部流路（54）を横断する姿勢で設置されている。
【００４５】
上記第２仕切板（24）には、５つの開口が形成されている。右上隅部に開口する第２右上開口（25）は、第２右上部流路（43）と第３右上部流路（51）とを連通させている。右下隅部に開口する第２右下開口（26）は、第２右下部流路（44）と第３右下部流路（52）とを連通させている。上部中央に開口する第２中央開口（27）は、第２中央上部流路（45）と第３中央上部流路（53）とを連通させている。左上隅部に開口する第２左上開口（28）は、第２左上部流路（47）と第３左上部流路（55）とを連通させている。左下隅部に開口する第２左下開口（29）は、第２左下部流路（48）と第３左下部流路（56）とを連通させている。
【００４６】
第２右上開口（25）、第２右下開口（26）、第２中央開口（27）、第２左上開口（28）、及び第２左下開口（29）には、それぞれ開閉シャッタが設けられている。この開閉シャッタを操作することにより、第２右上開口（25）、第２右下開口（26）、第２中央開口（27）、第２左上開口（28）、及び第２左下開口（29）は、連通状態と遮断状態とに切り換わる。
【００４７】
第３仕切板（34）と第４仕切板（31）の間には、２つの回転ダンパ（73,74）が左右に並んで設置されている。具体的には、右寄りに第３回転ダンパ（73）が設けられ、左寄りに第４回転ダンパ（74）が設けられている。これらの回転ダンパ（73,74）は、端面部（75）が第３仕切板（34）の方を向く姿勢で設置されている。また、これらの回転ダンパ（73,74）は、第３仕切板（34）と第４仕切板（31）の両方に接触しながら回転するように配置されている。
【００４８】
第３仕切板（34）と第４仕切板（31）の間は、上下に区画されると同時に、上下の各空間が第３及び第４回転ダンパ（73,74）によって更に３つに仕切られている。つまり、第３回転ダンパ（73）の右側には、上側の第４右上部流路（63）と下側の第４右下部流路（64）とが区画形成されている。第３回転ダンパ（73）と第４回転ダンパ（74）の間には、上側の第４中央上部流路（65）と下側の第４中央下部流路（66）とが区画形成されている。第４回転ダンパ（74）の左側には、上側の第４左上部流路（67）と下側の第４左下部流路（68）とが区画形成されている。
【００４９】
上記第３仕切板（34）には、５つの開口が形成されている。右上隅部に開口する第３右上開口（35）は、第３右上部流路（51）と第４右上部流路（63）とを連通させている。右下隅部に開口する第３右下開口（36）は、第３右下部流路（52）と第４右下部流路（64）とを連通させている。上部中央に開口する第３中央開口（37）は、第３中央上部流路（53）と第４中央上部流路（65）とを連通させている。左上隅部に開口する第３左上開口（38）は、第３左上部流路（55）と第４左上部流路（67）とを連通させている。左下隅部に開口する第３左下開口（39）は、第３左下部流路（56）と第４左下部流路（68）とを連通させている。
【００５０】
第３右上開口（35）、第３右下開口（36）、第３中央開口（37）、第３左上開口（38）、及び第３左下開口（39）には、それぞれ開閉シャッタが設けられている。この開閉シャッタを操作することにより、第３右上開口（35）、第３右下開口（36）、第３中央開口（37）、第３左上開口（38）、及び第３左下開口（39）は、連通状態と遮断状態とに切り換わる。
【００５１】
上記第４仕切板（31）には、２つの開口が形成されている。右側に開口する第４右側開口（32）は、円形の開口であって、第３回転ダンパ（73）に対応する位置に形成されている。左側に開口する第４左側開口（33）は、円形の開口であって、第４回転ダンパ（74）に対応する位置に形成されている。第４右側開口（32）及び第４左側開口（33）には、それぞれ開閉シャッタが設けられている。この開閉シャッタを操作することにより、第４右側開口（32）及び第４左側開口（33）は、その上半分だけが開口する状態と、その下半分だけが開口する状態とに切り換わる。
【００５２】
第４仕切板（31）と室内側パネル（12）の間には、上側の第５上部流路（61）と下側の第５下部流路（62）とが区画形成されている。第５上部流路（61）は、排気側入口（15）によって室内空間と連通されている。この第５上部流路（61）には、排気ファン（96）が設置されている。一方、第５下部流路（62）は、給気側出口（14）によって室内空間と連通されている。この第５下部流路（62）には、給気ファン（95）と第２冷却熱交換器（94）とが設置されている。
【００５３】
−運転動作−
上記空気調和装置の運転動作について、図４〜図８を参照しながら説明する。尚、図４は、ケーシング（10）内における第２仕切板（24）と第３仕切板（34）の間の部分を、模式的に図示したものである。
【００５４】
《除湿運転》
図５，図６に示すように、除湿運転時において、給気ファン（95）を駆動すると、室外空気が給気側入口（13）を通じてケーシング（10）内に取り込まれる。この室外空気は、第１の空気として第１上部流路（41）へ流入する。一方、排気ファン（96）を駆動すると、室内空気が排気側入口（15）を通じてケーシング（10）内に取り込まれる。この室内空気は、第２の空気として第５上部流路（61）へ流入する。尚、室内への給気量と室内からの排気量とを均衡させる必要があるため、上記空気調和装置では、第１の空気として取り込む室外空気の量と、第２の空気として取り込む室内空気の量とが等しくされている。
【００５５】
また、除湿運転において、冷媒回路では、再生熱交換器（92）を凝縮器とし、第２冷却熱交換器（94）を蒸発器として冷凍サイクルが行われる。つまり、除湿運転において、第１冷却熱交換器（93）では冷媒が流通しない。そして、上記空気調和装置は、第１動作と第２動作とを交互に繰り返すことによって除湿運転を行う。
【００５６】
除湿運転の第１動作について、図５を参照しながら説明する。この第１動作では、第１吸着素子（81）で空気が減湿されると同時に、第２吸着素子（82）の吸着剤が再生される。
【００５７】
尚、この第１動作時において、第２仕切板（24）では、第２右上開口（25）、第２中央開口（27）、及び第２左下開口（29）が閉鎖されている。また、第３仕切板（34）では、第３右下開口（36）、第３左上開口（38）、及び第３左下開口（39）が閉鎖されている。
【００５８】
第１右側開口（22）は、上半分が開口している。第１回転ダンパ（71）の切欠き開口（77）は、右下に位置する姿勢となって第２右下部流路（44）に開口している。第２仕切板（24）の第２右下開口（26）は、連通状態となっている。この状態で、第１上部流路（41）へ流入した第１の空気は、順に第１右側開口（22）、第１回転ダンパ（71）の内部、第２右下部流路（44）、第２右下開口（26）を通過し、第３右下部流路（52）へ流入する。
【００５９】
第４右側開口（32）は、上半分が開口している。第３回転ダンパ（73）の切欠き開口（77）は、右上に位置する姿勢となって第４右上部流路（63）に開口している。第３仕切板（34）の第３右上開口（35）は、連通状態となっている。この状態で、第５上部流路（61）へ流入した第２の空気は、順に第４右側開口（32）、第３回転ダンパ（73）の内部、第４右上部流路（63）、第３右上開口（35）を通過し、第３右上部流路（51）へ流入する。
【００６０】
第１吸着素子（81）は、その調湿側通路（85）が第３右下部流路（52）及び第３中央上部流路（53）と連通し、その冷却側通路（86）が第３右上部流路（51）及び第３中央下部流路（54）と連通している。また、第２吸着素子（82）は、その調湿側通路（85）が第３中央下部流路（54）及び第３左上部流路（55）と連通し、その冷却側通路（86）が第３中央上部流路（53）及び第３左下部流路（56）と連通している。
【００６１】
図４(ａ)にも示すように、この状態において、第１の空気は、第３右下部流路（52）から第１吸着素子（81）の調湿側通路（85）へ流入する。この調湿側通路（85）を流れる間に、第１の空気に含まれる水蒸気が吸着剤に吸着される。調湿側通路（85）で減湿された第１の空気は、第３中央上部流路（53）へ流入する。
【００６２】
一方、第２の空気は、第３右上部流路（51）から第１吸着素子（81）の冷却側通路（86）へ流入する。この冷却側通路（86）を流れる間に、第２の空気は、調湿側通路（85）で水蒸気が吸着剤に吸着される際に生じた吸着熱を吸熱する。吸着熱を奪った第２の空気は、第３中央下部流路（54）へ流入する。第３中央下部流路（54）を流れる間に、第２の空気は再生熱交換器（92）を通過する。再生熱交換器（92）において、第２の空気は、冷媒との熱交換を行い、冷媒の凝縮熱を吸熱する。
【００６３】
第１吸着素子（81）及び再生熱交換器（92）で加熱された第２の空気は、第２吸着素子（82）の調湿側通路（85）へ導入される。この調湿側通路（85）では、第２の空気によって吸着剤が加熱され、吸着剤から水蒸気が脱離する。つまり、吸着剤の再生が行われる。吸着剤から脱離した水蒸気は、第２の空気と共に第３左上部流路（55）へ流入する。
【００６４】
第３仕切板（34）の第３中央開口（37）は、連通状態となっている。第４回転ダンパ（74）の切欠き開口（77）は、右上に位置する姿勢となって第４中央上部流路（65）に開口している。第４左側開口（33）は、下半分が開口している。この状態で、第１吸着素子（81）で減湿された第１の空気は、順に第３中央上部流路（53）、第３中央開口（37）、第４中央上部流路（65）、第４回転ダンパ（74）の内部、第４左側開口（33）を通過し、第５下部流路（62）へ流入する。
【００６５】
第５下部流路（62）を流れる間に、第１の空気は第２冷却熱交換器（94）を通過する。第２冷却熱交換器（94）において、第１の空気は、冷媒との熱交換を行い、冷媒に対して放熱する。そして、減湿されて冷却された第１の空気は、給気側出口（14）を通って室内へ供給される。
【００６６】
第２仕切板（24）の第２左上開口（28）は、連通状態となっている。第２回転ダンパ（72）の切欠き開口（77）は、左上に位置する姿勢となって第２左上部流路（47）に開口している。第１左側開口（23）は、下半分が開口している。この状態で、第２吸着素子（82）から流出した第２の空気は、順に第３左上部流路（55）、第２左上開口（28）、第２左上部流路（47）、第２回転ダンパ（72）の内部、第１左側開口（23）を通過し、第１下部流路（42）へ流入する。
【００６７】
第１下部流路（42）を流れる間に、第２の空気は第１冷却熱交換器（93）を通過する。このとき、第１冷却熱交換器（93）において冷媒は流通していない。従って、第２の空気は、単に第１冷却熱交換器（93）を通過するだけで、吸熱も放熱もしない。その後、第２の空気は、排気側出口（16）を通って室外へ排出される。
【００６８】
除湿運転の第２動作について、図６を参照しながら説明する。この第２動作では、第１動作時とは逆に、第２吸着素子（82）で空気が減湿されると同時に、第１吸着素子（81）の吸着剤が再生される。
【００６９】
尚、この第２動作時において、第２仕切板（24）では、第２右下開口（26）、第２中央開口（27）、及び第２左上開口（28）が閉鎖されている。また、第３仕切板（34）では、第３右上開口（35）、第３右下開口（36）、及び第３左下開口（39）が閉鎖されている。
【００７０】
第１左側開口（23）は、上半分が開口している。第２回転ダンパ（72）の切欠き開口（77）は、左下に位置する姿勢となって第２左下部流路（48）に開口している。第２仕切板（24）の第２左下開口（29）は、連通状態となっている。この状態で、第１上部流路（41）へ流入した第１の空気は、順に第１左側開口（23）、第２回転ダンパ（72）の内部、第２左下部流路（48）、第２左下開口（29）を通過し、第３左下部流路（56）へ流入する。
【００７１】
第４左側開口（33）は、上半分が開口している。第４回転ダンパ（74）の切欠き開口（77）は、左上に位置する姿勢となって第４左上部流路（67）に開口している。第３仕切板（34）の第３左上開口（38）は、連通状態となっている。この状態で、第５上部流路（61）へ流入した第２の空気は、順に第４左側開口（33）、第４回転ダンパ（74）の内部、第４左上部流路（67）、第３左上開口（38）を通過し、第３左上部流路（55）へ流入する。
【００７２】
第１動作から第２動作へ切り換わる際には、第１吸着素子（81）及び第２吸着素子（82）が、図４における時計方向へ回転する。そして、第２吸着素子（82）は、その調湿側通路（85）が第３左下部流路（56）及び第３中央上部流路（53）と連通し、その冷却側通路（86）が第３左上部流路（55）及び第３中央下部流路（54）と連通している。また、第１吸着素子（81）は、その調湿側通路（85）が第３中央下部流路（54）及び第３右上部流路（51）と連通し、その冷却側通路（86）が第３中央上部流路（53）及び第３右下部流路（52）と連通している。
【００７３】
図４(ｂ)にも示すように、この状態において、第１の空気は、第３左下部流路（56）から第２吸着素子（82）の調湿側通路（85）へ流入する。この調湿側通路（85）を流れる間に、第１の空気に含まれる水蒸気が吸着剤に吸着される。調湿側通路（85）で減湿された第１の空気は、第３中央上部流路（53）へ流入する。
【００７４】
一方、第２の空気は、第３左上部流路（55）から第２吸着素子（82）の冷却側通路（86）へ流入する。この冷却側通路（86）を流れる間に、第２の空気は、調湿側通路（85）で水蒸気が吸着剤に吸着される際に生じた吸着熱を吸熱する。吸着熱を奪った第２の空気は、第３中央下部流路（54）へ流入する。第３中央下部流路（54）を流れる間に、第２の空気は再生熱交換器（92）を通過する。再生熱交換器（92）において、第２の空気は、冷媒との熱交換を行い、冷媒の凝縮熱を吸熱する。
【００７５】
第２吸着素子（82）及び再生熱交換器（92）で加熱された第２の空気は、第１吸着素子（81）の調湿側通路（85）へ導入される。この調湿側通路（85）では、第２の空気によって吸着剤が加熱され、吸着剤から水蒸気が脱離する。つまり、吸着剤の再生が行われる。吸着剤から脱離した水蒸気は、第２の空気と共に第３右上部流路（51）へ流入する。
【００７６】
第３仕切板（34）の第３中央開口（37）は、連通状態となっている。第３回転ダンパ（73）の切欠き開口（77）は、左上に位置する姿勢となって第４中央上部流路（65）に開口している。第４右側開口（32）は、下半分が開口している。この状態で、第２吸着素子（82）で減湿された第１の空気は、順に第３中央上部流路（53）、第３中央開口（37）、第４中央上部流路（65）、第３回転ダンパ（73）の内部、第４右側開口（32）を通過し、第５下部流路（62）へ流入する。
【００７７】
第５下部流路（62）を流れる間に、第１の空気は第２冷却熱交換器（94）を通過する。第２冷却熱交換器（94）において、第１の空気は、冷媒との熱交換を行い、冷媒に対して放熱する。そして、減湿されて冷却された第１の空気は、給気側出口（14）を通って室内へ供給される。
【００７８】
第２仕切板（24）の第２右上開口（25）は、連通状態となっている。第１回転ダンパ（71）の切欠き開口（77）は、右上に位置する姿勢となって第２右上部流路（43）に開口している。第１右側開口（22）は、下半分が開口している。この状態で、第１吸着素子（81）から流出した第２の空気は、順に第３右上部流路（51）、第２右上開口（25）、第２右上部流路（43）、第１回転ダンパ（71）の内部、第１右側開口（22）を通過し、第１下部流路（42）へ流入する。
【００７９】
第１下部流路（42）を流れる間に、第２の空気は第１冷却熱交換器（93）を通過する。このとき、第１冷却熱交換器（93）において冷媒は流通していない。従って、第２の空気は、単に第１冷却熱交換器（93）を通過するだけで、吸熱も放熱もしない。その後、第２の空気は、排気側出口（16）を通って室外へ排出される。
【００８０】
《加湿運転》
図７，図８に示すように、加湿運転時において、給気ファン（95）を駆動すると、室外空気が給気側入口（13）を通じてケーシング（10）内に取り込まれる。この室外空気は、第２の空気として第１上部流路（41）へ流入する。一方、排気ファン（96）を駆動すると、室内空気が排気側入口（15）を通じてケーシング（10）内に取り込まれる。この室内空気は、第１の空気として第５上部流路（61）へ流入する。尚、加湿運転時においても、上記空気調和装置では、第１の空気として取り込む室外空気の量と、第２の空気として取り込む室内空気の量とが等しくされている。その理由は、除湿運転の場合と同じである。
【００８１】
また、加湿運転において、冷媒回路では、再生熱交換器（92）を凝縮器とし、第１冷却熱交換器（93）を蒸発器として冷凍サイクルが行われる。つまり、除湿運転において、第２冷却熱交換器（94）では冷媒が流通しない。そして、上記空気調和装置は、第１動作と第２動作とを交互に繰り返すことによって加湿運転を行う。
【００８２】
加湿運転の第１動作について、図７を参照しながら説明する。この第１動作では、第１吸着素子（81）で空気が加湿され、第２吸着素子（82）の吸着剤が水蒸気を吸着する。
【００８３】
尚、この第１動作時において、第２仕切板（24）では、第２右上開口（25）、第２右下開口（26）、及び第２左下開口（29）が閉鎖されている。また、第３仕切板（34）では、第３右下開口（36）、第３中央開口（37）、及び第３左上開口（38）が閉鎖されている。
【００８４】
第１左側開口（23）は、上半分が開口している。第２回転ダンパ（72）の切欠き開口（77）は、左上に位置する姿勢となって第２左上部流路（47）に開口している。第２仕切板（24）の第２左上開口（28）は、連通状態となっている。この状態で、第１上部流路（41）へ流入した第２の空気は、順に第１左側開口（23）、第２回転ダンパ（72）の内部、第２左上部流路（47）、第２左上開口（28）を通過し、第３左上部流路（55）へ流入する。
【００８５】
第４左側開口（33）は、上半分が開口している。第４回転ダンパ（74）の切欠き開口（77）は、左下に位置する姿勢となって第４左下部流路（68）に開口している。第３仕切板（34）の第３左下開口（39）は、連通状態となっている。この状態で、第５上部流路（61）へ流入した第１の空気は、順に第４左側開口（33）、第４回転ダンパ（74）の内部、第４左下部流路（68）、第３左下開口（39）を通過し、第３左下部流路（56）へ流入する。
【００８６】
第２吸着素子（82）は、その調湿側通路（85）が第３左下部流路（56）及び第３中央上部流路（53）と連通し、その冷却側通路（86）が第３左上部流路（55）及び第３中央下部流路（54）と連通している。また、第１吸着素子（81）は、その調湿側通路（85）が第３中央下部流路（54）及び第３右上部流路（51）と連通し、その冷却側通路（86）が第３中央上部流路（53）及び第３右下部流路（52）と連通している。
【００８７】
図４(ｂ)にも示すように、この状態において、第１の空気は、第３左下部流路（56）から第２吸着素子（82）の調湿側通路（85）へ流入する。この調湿側通路（85）を流れる間に、第１の空気に含まれる水蒸気が吸着剤に吸着される。調湿側通路（85）で水分を奪われた第１の空気は、第３中央上部流路（53）へ流入する。
【００８８】
一方、第２の空気は、第３左上部流路（55）から第２吸着素子（82）の冷却側通路（86）へ流入する。この冷却側通路（86）を流れる間に、第２の空気は、調湿側通路（85）で水蒸気が吸着剤に吸着される際に生じた吸着熱を吸熱する。吸着熱を奪った第２の空気は、第３中央下部流路（54）へ流入する。第３中央下部流路（54）を流れる間に、第２の空気は再生熱交換器（92）を通過する。再生熱交換器（92）において、第２の空気は、冷媒との熱交換を行い、冷媒の凝縮熱を吸熱する。
【００８９】
第２吸着素子（82）及び再生熱交換器（92）で加熱された第２の空気は、第１吸着素子（81）の調湿側通路（85）へ導入される。この調湿側通路（85）では、第２の空気によって吸着剤が加熱され、吸着剤から水蒸気が脱離する。つまり、吸着剤の再生が行われる。そして、吸着剤から脱離した水蒸気が第２の空気に付与され、第２の空気が加湿される。第１吸着素子（81）において加湿された第２の空気は、第３右上部流路（51）へ流入する。
【００９０】
第３仕切板（34）の第３右上開口（35）は、連通状態となっている。第３回転ダンパ（73）の切欠き開口（77）は、右上に位置する姿勢となって第４右上部流路（63）に開口している。第４右側開口（32）は、下半分が開口している。この状態で、第１吸着素子（81）で加湿された第２の空気は、順に第３右上部流路（51）、第３右上開口（35）、第４右上部流路（63）、第３回転ダンパ（73）の内部、第４右側開口（32）を通過し、第５下部流路（62）へ流入する。
【００９１】
第５下部流路（62）を流れる間に、第２の空気は第２冷却熱交換器（94）を通過する。このとき、第２冷却熱交換器（94）において冷媒は流通していない。従って、第２の空気は、単に第２冷却熱交換器（94）を通過するだけで、吸熱も放熱もしない。そして、加熱されて加湿された第２の空気は、給気側出口（14）を通って室内へ供給される。
【００９２】
第２仕切板（24）の第２中央開口（27）は、連通状態となっている。第１回転ダンパ（71）の切欠き開口（77）は、左上に位置する姿勢となって第２中央上部流路（45）に開口している。第１右側開口（22）は、下半分が開口している。この状態で、第２吸着素子（82）で水蒸気を奪われた第１の空気は、順に第３中央上部流路（53）、第２中央開口（27）、第２中央上部流路（45）、第１回転ダンパ（71）の内部、第１右側開口（22）を通過し、第１下部流路（42）へ流入する。
【００９３】
第１下部流路（42）を流れる間に、第１の空気は第１冷却熱交換器（93）を通過する。第１冷却熱交換器（93）では、第１の空気が冷媒と熱交換を行い、冷媒回路の冷媒が第１の空気から吸熱して蒸発する。その後、第１の空気は、排気側出口（16）を通って室外へ排出される。
【００９４】
加湿運転の第２動作について、図８を参照しながら説明する。この第２動作では、第１動作時とは逆に、第２吸着素子（82）で空気が加湿され、第１吸着素子（81）の吸着剤が水蒸気を吸着する。
【００９５】
尚、この第２動作時において、第２仕切板（24）では、第２右下開口（26）、第２左上開口（28）、及び第２左下開口（29）が閉鎖されている。また、第３仕切板（34）では、第３右上開口（35）、第３中央開口（37）、及び第３左下開口（39）が閉鎖されている。
【００９６】
第１右側開口（22）は、上半分が開口している。第１回転ダンパ（71）の切欠き開口（77）は、右上に位置する姿勢となって第２右上部流路（43）に開口している。第２仕切板（24）の第２右上開口（25）は、連通状態となっている。この状態で、第１上部流路（41）へ流入した第２の空気は、順に第１右側開口（22）、第１回転ダンパ（71）の内部、第２右上部流路（43）、第２右上開口（25）を通過し、第３右上部流路（51）へ流入する。
【００９７】
第４右側開口（32）は、上半分が開口している。第３回転ダンパ（73）の切欠き開口（77）は、右下に位置する姿勢となって第４右下部流路（64）に開口している。第３仕切板（34）の第３右下開口（36）は、連通状態となっている。この状態で、第５上部流路（61）へ流入した第１の空気は、順に第４右側開口（32）、第３回転ダンパ（73）の内部、第４右下部流路（64）、第３右下開口（36）を通過し、第３右下部流路（52）へ流入する。
【００９８】
第１動作から第２動作へ切り換わる際には、第１吸着素子（81）及び第２吸着素子（82）が、図４における反時計方向へ回転する。そして、第１吸着素子（81）は、その調湿側通路（85）が第３右下部流路（52）及び第３中央上部流路（53）と連通し、その冷却側通路（86）が第３右上部流路（51）及び第３中央下部流路（54）と連通している。また、第２吸着素子（82）は、その調湿側通路（85）が第３中央下部流路（54）及び第３左上部流路（55）と連通し、その冷却側通路（86）が第３中央上部流路（53）及び第３左下部流路（56）と連通している。
【００９９】
図４(ａ)にも示すように、この状態において、第１の空気は、第３右下部流路（52）から第１吸着素子（81）の調湿側通路（85）へ流入する。この調湿側通路（85）を流れる間に、第１の空気に含まれる水蒸気が吸着剤に吸着される。調湿側通路（85）で水分を奪われた第１の空気は、第３中央上部流路（53）へ流入する。
【０１００】
一方、第２の空気は、第３右上部流路（51）から第１吸着素子（81）の冷却側通路（86）へ流入する。この冷却側通路（86）を流れる間に、第２の空気は、調湿側通路（85）で水蒸気が吸着剤に吸着される際に生じた吸着熱を吸熱する。吸着熱を奪った第２の空気は、第３中央下部流路（54）へ流入する。第３中央下部流路（54）を流れる間に、第２の空気は再生熱交換器（92）を通過する。再生熱交換器（92）において、第２の空気は、冷媒との熱交換を行い、冷媒の凝縮熱を吸熱する。
【０１０１】
第１吸着素子（81）及び再生熱交換器（92）で加熱された第２の空気は、第２吸着素子（82）の調湿側通路（85）へ導入される。この調湿側通路（85）では、第２の空気によって吸着剤が加熱され、吸着剤から水蒸気が脱離する。つまり、吸着剤の再生が行われる。そして、吸着剤から脱離した水蒸気が第２の空気に付与され、第２の空気が加湿される。第２吸着素子（82）において加湿された第２の空気は、第３左上部流路（55）へ流入する。
【０１０２】
第３仕切板（34）の第３左上開口（38）は、連通状態となっている。第４回転ダンパ（74）の切欠き開口（77）は、左上に位置する姿勢となって第４左上部流路（67）に開口している。第４左側開口（33）は、下半分が開口している。この状態で、第２吸着素子（82）で加湿された第２の空気は、順に第３左上部流路（55）、第３左上開口（38）、第４左上部流路（67）、第４回転ダンパ（74）の内部、第４左側開口（33）を通過し、第５下部流路（62）へ流入する。
【０１０３】
第５下部流路（62）を流れる間に、第２の空気は第２冷却熱交換器（94）を通過する。このとき、第２冷却熱交換器（94）において冷媒は流通していない。従って、第２の空気は、単に第２冷却熱交換器（94）を通過するだけで、吸熱も放熱もしない。そして、加熱されて加湿された第２の空気は、給気側出口（14）を通って室内へ供給される。
【０１０４】
第２仕切板（24）の第２中央開口（27）は、連通状態となっている。第２回転ダンパ（72）の切欠き開口（77）は、右上に位置する姿勢となって第２中央上部流路（45）に開口している。第１左側開口（23）は、下半分が開口している。この状態で、第１吸着素子（81）で水蒸気を奪われた第１の空気は、順に第３中央上部流路（53）、第２中央開口（27）、第２中央上部流路（45）、第２回転ダンパ（72）の内部、第１左側開口（23）を通過し、第１下部流路（42）へ流入する。
【０１０５】
第１下部流路（42）を流れる間に、第１の空気は第１冷却熱交換器（93）を通過する。第１冷却熱交換器（93）では、第１の空気が冷媒と熱交換を行い、冷媒回路の冷媒が第１の空気から吸熱して蒸発する。その後、第１の空気は、排気側出口（16）を通って室外へ排出される。
【０１０６】
−吸着素子の形状−
ここで、平板部材（83）を正方形状ではなく長方形状とし、吸着素子（81,82）を上述のような所定の直方体状に形成した理由について、図３及び図９を参照しながら説明する。尚、図９は、吸着素子（81,82）について、その容積Ｖ＝Ｌ1×Ｌ2×Ｗを一定とする条件の下で、平板部材（83）の長辺と短辺の比Ｌ1/Ｌ2を変化させたときの水蒸気吸着量の変動を、再生温度ごとにグラフに示したものである。また、ここでいう「再生温度」とは、加熱器である再生熱交換器（92）から吸着素子（81,82）へ供給される第２空気の温度を意味している。
【０１０７】
図３に示すように、本実施形態の吸着素子（81,82）において、その平板部材（83）の長辺側に位置する側面の面積はＳ1＝Ｌ1×Ｗであり、この側面に調湿側通路（85）が開口している。また、その平板部材（83）の短辺側に位置する側面の面積はＳ2＝Ｌ2×Ｗであり、この側面に冷却側通路（86）が開口している。
【０１０８】
Ｌ1＝Ｌ2の場合（即ち平板部材（83）が正方形の場合）にはＳ1＝Ｓ2となり、Ｌ1/Ｌ2の値が大きくなるに従い、面積Ｓ1が次第に増大してゆき、面積Ｓ2が次第に減少してゆく。従って、Ｌ1/Ｌ2の値が大きくなるにつれて、上記吸着素子（81,82）では、その側面における調湿側通路（85）の開口部の面積（即ち、調湿側通路（85）の通路断面積）が次第に大きくなる一方で、その側面における冷却側通路（86）の開口部の面積（即ち、冷却側通路（86）の通路断面積）が次第に小さくなる。このため、上記吸着素子（81,82）では、平板部材（83）を正方形状とした場合に比べ、冷却側通路（86）における空気流速が上昇し、調湿側通路（85）における空気流速が低下する。
【０１０９】
このように、冷却側通路（86）における空気流速が上昇すると、冷却側通路（86）を流れる空気と平板部材（83）との間の熱伝達率が上昇し、調湿側通路（85）の空気から冷却側通路（86）の空気へ移動する熱量が増大する。そのため、調湿側通路（85）を流れる空気の温度上昇を抑制でき、該空気の相対湿度が高く保たれて吸着剤に吸着される水蒸気の量が増大する。また、調湿側通路（85）における空気流速が低下すると、調湿側通路（85）で空気が吸着剤と接触する時間を稼ぐことができ、これによっても吸着剤に吸着される水蒸気の量が増大する。
【０１１０】
従って、図９に示すように、Ｌ1/Ｌ2の値が大きくなるにつれて、吸着素子（81,82）の水蒸気吸着量が増大してゆく。その際、吸着素子（81,82）における水蒸気吸着量の増加割合は、Ｌ1/Ｌ2の値が大きくなるに従って次第に小さくなる。そして、Ｌ1/Ｌ2の値がある程度以上となると、それ以上Ｌ1/Ｌ2の値を大きくしても水蒸気吸着量が殆ど増えなくなる。このため、Ｌ1/Ｌ2の値をむやみに大きくしても、吸着素子（81,82）の形状が扁平になって大型化するだけで、水蒸気吸着量の増大は見込めなくなる。
【０１１１】
例えば、再生温度が１００℃の場合には、Ｌ1/Ｌ2の値の値を２.０より大きくしても、水蒸気吸着量の増加は殆ど見込めなくなる。従って、この場合、吸着素子（81,82）は、１.０＜Ｌ1/Ｌ2≦２.０となるように形成するのが望ましく、更には１.５≦Ｌ1/Ｌ2≦２.０とするのが望ましい。
【０１１２】
また、再生温度が８０℃の場合には、Ｌ1/Ｌ2の値の値を３.０より大きくしても、水蒸気吸着量の増加は殆ど見込めなくなる。従って、この場合、吸着素子（81,82）は、１.０＜Ｌ1/Ｌ2≦３.０となるように形成するのが望ましい。その際、吸着素子（81,82）の小型化を重視するのであれば、１.０＜Ｌ1/Ｌ2≦２.０となるように、例えばＬ1/Ｌ2＝１.５となるように吸着素子（81,82）を形成するとよい。一方、吸着素子（81,82）の性能を重視するのであれば、２.０≦Ｌ1/Ｌ2≦３.０となるように、例えばＬ1/Ｌ2＝２.５となるように吸着素子（81,82）を形成するとよい。
【０１１３】
また、再生温度が６０℃の場合には、Ｌ1/Ｌ2の値の値を４.０より大きくしても、水蒸気吸着量の増加は殆ど見込めなくなる。従って、この場合、吸着素子（81,82）は、１.０＜Ｌ1/Ｌ2≦４.０となるように形成するのが望ましい。その際、吸着素子（81,82）の小型化を重視するのであれば、２.０≦Ｌ1/Ｌ2≦３.０となるように、例えばＬ1/Ｌ2＝２.５となるように吸着素子（81,82）を形成するとよい。一方、吸着素子（81,82）の性能を重視するのであれば、３.０≦Ｌ1/Ｌ2≦４.０となるように、例えばＬ1/Ｌ2＝３.５となるように吸着素子（81,82）を形成するとよい。
【０１１４】
ここで、本実施形態の空気調和装置では、その再生熱交換器（92）において、第２空気を冷媒の凝縮熱によって加熱している。このため、通常の冷凍サイクルにおける動作条件を考慮すると、この空気調和装置における再生温度は６０℃程度となる。従って、この空気調和装置においては、吸着素子（81,82）を１.０＜Ｌ1/Ｌ2≦４.０となるように形成するのが望ましいこととなる。
【０１１５】
本実施形態では、吸着素子（81,82）の小型化を重視する観点から、Ｌ1/Ｌ2＝２.０となるように吸着素子（81,82）を形成している。このような場合であっても、Ｌ1/Ｌ2＝１.０の場合に比べれば、吸着素子（81,82）の水蒸気吸着量は３５％弱の増加が見込まれる。
【０１１６】
−実施形態１の効果−
本実施形態１では、吸着素子（81,82）を構成する平板部材（83）を長方形板状に形成している。このため、本実施形態１に係る吸着素子（81,82）によれば、平板部材（83）を正方形状に形成する従来のものに比べ、冷却用の空気を流すための冷却側通路（86）の開口面積を縮小して該冷却側通路（86）での空気流速を上昇させることができると同時に、吸着剤を有する調湿側通路（85）の開口面積を拡大して該調湿側通路（85）での空気流速を低下させることができる。
【０１１７】
この結果、調湿側通路（85）において吸着剤と空気とを確実に接触させつつ、冷却側通路（86）での空気流速を高めることで、調湿側通路（85）の空気から冷却側通路（86）の空気へ移動する熱量を増大させることができる。従って、本実施形態１によれば、吸着素子（81,82）において、調湿側通路（85）での吸着剤と空気との接触を確保しつつ、冷却側通路（86）の空気が吸熱する吸着熱の量を増大させることができ、吸着素子（81,82）の吸着能力を高めることができる。
【０１１８】
また、本実施形態１に係る吸着素子（81,82）を用いることで、空気調和装置を小型化することができる。この点について、図１０を参照しながら説明する。
【０１１９】
先ず、吸着素子（81,82）を構成する平板部材（83）を正方形状とした場合において、この平板部材（83）の一辺の長さを「１」と仮定する。この場合、空気調和装置のケーシング（10）の高さｈ1は、平板部材（83）の対角線の長さ「１.４１」よりも必ず大きくなる。これに対し、吸着素子（81,82）を構成する平板部材（83）を長方形状とした場合、平板部材（83）の面積を一定とする条件の下では、平板部材（83）の短辺の長さが「０.７１」となり、その長辺の長さが「１.４１」となる。このため、空気調和装置のケーシング（10）の高さｈ2を、「１.２７」まで短縮することが可能となる。従って、本実施形態１によれば、空気調和装置のケーシング（10）を薄型化でき、空気調和装置の小型化を図ることができる。
【０１２０】
また、本実施形態１に係る吸着素子（81,82）を用いることで、吸着素子（81,82）を回転駆動するための動力を削減できる。つまり、図１０に示すように、平板部材（83）が正方形状の吸着素子（81,82）を用いた場合には、第１動作と第２動作を相互に切り換える際に吸着素子（81,82）をθ1＝９０°回転させねばならない。これに対し、本実施形態１のように平板部材（83）が長方形状の吸着素子（81,82）を用いた場合には、第１動作と第２動作を相互に切り換える際に吸着素子（81,82）をθ2＝５３.１°だけ回転させればよい。従って、本実施形態１によれば、吸着素子（81,82）を回転させる角度を従来よりも小さくでき、吸着素子（81,82）の回転駆動に要する動力を削減できる。
【０１２１】
ここで、上記空気調和装置において、第１動作と第２動作を相互に切り換える際には、一時的に第１の空気と第２の空気とが吸着素子（81,82）の周囲で混じり合う状態となる。つまり、室内へ供給する空気の減湿や加湿が不充分となる期間が生じてしまう。これに対し、本実施形態１によれば、吸着素子（81,82）の回転角度を小さくできる。従って、本実施形態１によれば、吸着素子（81,82）を回転させて第１，第２動作の切り換えに要する時間を短縮でき、室内へ供給する空気の減湿や加湿を確実に行うことが可能となる。
【０１２２】
−実施形態１の変形例−
上記実施形態１では、ケーシング（10）内において、給気ファン（95）と排気ファン（96）の両方を室内側パネル（12）側に配置しているが、それに代えて次のようにしてもよい。つまり、これとは逆に、給気ファン（95）と排気ファン（96）の両方を室外側パネル（11）側に配置してもよい。また、給気ファン（95）と排気ファン（96）の何れか一方を室内側パネル（12）側に配置し、他方を室外側パネル（11）側に配置してもよい。
【０１２３】
【発明の実施の形態２】
本発明の実施形態２に係る空気調和装置は、減湿して冷却した外気を室内へ供給する除湿運転と、加熱して加湿した外気を室内へ供給する加湿運転とを切り換えて行うように構成されている。また、この空気調和装置は、２つの吸着素子（81,82）を備え、いわゆるバッチ式の動作を行うように構成されている。ただし、本実施形態２に係る空気調和装置は、吸着素子（81,82）が固定されていて回転しない点で、上記実施形態１と異なる。
【０１２４】
図１１に示すように、上記空気調和装置は、縦長で直方体状のケーシング（10）を備えている。このケーシング（10）には、２つの吸着素子（81,82）と、１つの冷媒回路とが収納されている。尚、吸着素子（81,82）については、上記実施形態１のものと同様であるため、その説明を省略する。
【０１２５】
上記冷媒回路は、圧縮機（91）と、凝縮器である再生熱交換器（92）と、膨張弁と、蒸発器である冷却熱交換器（93）とを配管接続して形成された閉回路である。尚、冷媒回路の全体構成及び膨張弁の図示は省略する。この冷媒回路は、充填された冷媒を循環させて、蒸気圧縮式の冷凍サイクルを行うように構成されている。
【０１２６】
上記ケーシング（10）には、第１仕切パネル（101）と第２仕切パネル（106）が収納されている。第１仕切パネル（101）と第２仕切パネル（106）は、下から上に向かって順に配置され、ケーシング（10）の内部空間を上下に仕切っている。また、このケーシング（10）において、第１仕切パネル（101）よりも下の部分が下段部（110）を構成し、第１仕切パネル（101）と第２仕切パネル（106）の間の部分が中段部（120）を構成し、第２仕切パネル（106）よりも上の部分が上段部（130）を構成している。
【０１２７】
ケーシング（10）の下段部（110）には、その前後方向の中央部に２つの吸着素子（81,82）が左右に並んで設置されている。両吸着素子（81,82）は、その長手方向が上下方向となる姿勢で立設されている。そして、第１吸着素子（81）は下段部（110）の右寄りに配置され、第２吸着素子（82）は下段部（110）の左寄りに配置されている。この状態で、第１吸着素子（81）は、その冷却側通路（86）がケーシング（10）の右側面に開口している。また、第２吸着素子（82）は、その冷却側通路（86）がケーシング（10）の左側面に開口している。
【０１２８】
下段部（110）の右側部分では、第１吸着素子（81）の前方に下段右前流路（111）が区画形成され、第１吸着素子（81）の後方に下段右後流路（112）が区画形成されている。下段右後流路（112）には、冷媒回路の圧縮機（91）が収納されている。下段部（110）の左側部分では、第２吸着素子（82）の前方に下段左前流路（113）が区画形成され、第２吸着素子（82）の後方に下段左後流路（114）が区画形成されている。
【０１２９】
また、下段部（110）の内部には、第１吸着素子（81）及び下段右後流路（112）と、第２吸着素子（82）及び下段左後流路（114）とに挟まれた下段中央流路（115）が区画形成されている。この下段中央流路（115）は、再生用の空気流路を構成している。そして、再生熱交換器（92）は、下段中央流路（115）を横断するように設置されている。
【０１３０】
下段部（110）の前面には、その左右方向の中央部に縦長で長方形状の吸込口（116）が開口している。また、下段部（110）には、この吸込口（116）に対応する位置に回動ダンパ（140）が設置されている。この回動ダンパ（140）は、縦長の長方形板状に形成され、その後端を軸に回動する。この回動ダンパ（140）の動作により、吸込口（116）が下段右前流路（111）だけに連通する状態と、吸込口（116）が下段左前流路（113）だけに連通する状態とに切り換わる。
【０１３１】
更に、下段部（110）には、縦長の長方形板状に形成されたスライドダンパ（141,142）が２つ収納されている。
【０１３２】
第１スライドダンパ（141）は、第１吸着素子（81）及び下段右後流路（112）と下段中央流路（115）の間に設置され、前後に移動可能に構成されている。この第１スライドダンパ（141）の動作により、第１吸着素子（81）の冷却側通路（86）が下段中央流路（115）と遮断され且つ下段右後流路（112）が下段中央流路（115）と連通される状態と、第１吸着素子（81）の冷却側通路（86）が下段中央流路（115）と連通され且つ下段右後流路（112）が下段中央流路（115）と遮断される状態とに切り換わる。
【０１３３】
第２スライドダンパ（142）は、第２吸着素子（82）及び下段左後流路（114）と下段中央流路（115）の間に設置され、前後に移動可能に構成されている。この第２スライドダンパ（142）の動作により、第２吸着素子（82）の冷却側通路（86）が下段中央流路（115）と遮断され且つ下段左後流路（114）が下段中央流路（115）と連通される状態と、第２吸着素子（82）の冷却側通路（86）が下段中央流路（115）と連通され且つ下段左後流路（114）が下段中央流路（115）と遮断される状態とに切り換わる。
【０１３４】
中段部（120）の内部空間は、前後に仕切られている。この中段部（120）には、前側の中段前側流路（121）と、後側の中段後側流路（122）とが区画形成されている。
【０１３５】
第１仕切パネル（101）には、その右前隅部に右前開口（102）が形成され、その左前隅部に左前開口（103）が形成されている。右前開口（102）は、開閉可能に構成されており、下段右前流路（111）と中段前側流路（121）とを連通させている。左前開口（103）は、開閉可能に構成されており、下段左前流路（113）と中段前側流路（121）とを連通させている。
【０１３６】
また、第１仕切パネル（101）には、その右後隅部に右後開口（104）が形成され、その左後隅部に左後開口（105）が形成されている。右後開口（104）は、開閉可能に構成されており、下段右後流路（112）と中段後側流路（122）とを連通させている。左後開口（105）は、開閉可能に構成されており、下段左後流路（114）と中段後側流路（122）とを連通させている。
【０１３７】
上段部（130）の内部空間は、前後に仕切られている。この上段部（130）には、前側の上段前側流路（131）と、後側の上段後側流路（132）とが区画形成されている。上段前側流路（131）には、第２ファン（144）が設置されている。上段前側流路（131）は、第２ファン（144）によって中段前側流路（121）と連通されている。上段後側流路（132）には、第１ファン（143）が設置されている。上段後側流路（132）は、第１ファン（143）によって中段後側流路（122）と連通されている。
【０１３８】
上段部（130）の右端面には、第１排気口（133）と第２排気口（134）とが開口している。第１排気口（133）は、上段後側流路（132）をケーシング（10）と連通させている。第２排気口（134）は、上段前側流路（131）をケーシング（10）と連通させている。また、第１排気口（133）と第２排気口（134）は、その一方が開口しているときには他方が閉鎖されるように構成されている。
【０１３９】
上段部（130）の右端寄りには、給気口（135）が設置されている。この給気口（135）は、箱形部（136）の上に筒形部（137）を載せた構成となっている。給気口（135）の箱形部（136）は、その前面と背面が開閉自在に構成されている。箱形部（136）の前面を開放すると、上段前側流路（131）が箱形部（136）の内部と連通する。箱形部（136）の背面を開放すると、上段後側流路（132）が箱形部（136）の内部と連通する。
【０１４０】
−運転動作−
上記空気調和装置の運転動作について、図１１〜図１３を参照しながら説明する。尚、図１２及び図１３は、上段部（130）、中段部（120）、及び下段部（110）のそれぞれについて、上方から見た状態を模式的に図示したものである。
【０１４１】
《除湿運転》
上記空気調和装置は、第１動作と第２動作とを交互に繰り返すことによって除湿運転を行う。その際、第１ファン（143）及び第２ファン（144）が駆動されると共に、冷媒回路で冷媒を循環させて冷凍サイクルが行われる。ここでは、除湿運転時の第１動作及び第２動作について、図１２を参照しながら説明する。
【０１４２】
除湿運転時の第１動作では、第１吸着素子（81）において空気が減湿されると同時に、第２吸着素子（82）の吸着剤が再生される。
【０１４３】
下段部（110）では、回動ダンパ（140）が左側に倒されて、吸込口（116）が下段右前流路（111）と連通する。また、第１スライドダンパ（141）が移動して第１吸着素子（81）の冷却側通路（86）が下段中央流路（115）と連通し、第２スライドダンパ（142）が移動して下段左後流路（114）が下段中央流路（115）と連通する。
【０１４４】
この状態で、下段右前流路（111）へは、吸込口（116）から室外空気が第１の空気として流入する。第１の空気は、下段右前流路（111）から第１吸着素子（81）の調湿側通路（85）へ流入する。この調湿側通路（85）を流れる間に、第１の空気に含まれる水蒸気が吸着剤に吸着される。調湿側通路（85）で減湿された第１の空気は、下段右後流路（112）へ流入する。
【０１４５】
一方、下段部（110）の右側面に開口する第１吸着素子（81）の冷却側通路（86）へは、室外空気が第２の空気として流入する。この冷却側通路（86）を流れる間に、第２の空気は、調湿側通路（85）で水蒸気が吸着剤に吸着される際に生じた吸着熱を吸熱する。吸着熱を奪った第２の空気は、下段中央流路（115）へ流入する。下段中央流路（115）を流れる間に、第２の空気は再生熱交換器（92）を通過する。再生熱交換器（92）において、第２の空気は、冷媒との熱交換を行い、冷媒の凝縮熱を吸熱する。
【０１４６】
第１吸着素子（81）及び再生熱交換器（92）で加熱された第２の空気は、下段左後流路（114）を流れ、第２吸着素子（82）の調湿側通路（85）へ導入される。この調湿側通路（85）では、第２の空気によって吸着剤が加熱され、吸着剤から水蒸気が脱離する。つまり、吸着剤の再生が行われる。吸着剤から脱離した水蒸気は、第２の空気と共に下段左前流路（113）へ流入する。
【０１４７】
第１仕切パネル（101）では、右後開口（104）及び左前開口（103）が開放され、右前開口（102）及び左後開口（105）が閉鎖されている。上段部（130）では、第２排気口（134）が開放され、第１排気口（133）が閉鎖されている。給気口（135）では、箱形部（136）の前面が閉鎖され、その背面が開放されている。
【０１４８】
この状態で、第１吸着素子（81）において減湿された第１の空気は、下段右後流路（112）から右後開口（104）を通って中段後側流路（122）へ流入する。中段後側流路（122）を流れる間に、第１の空気は冷却熱交換器（93）を通過する。冷却熱交換器（93）において、第１の空気は、冷媒との熱交換を行い、冷媒に対して放熱する。その後、第１の空気は、第１ファン（143）に吸引されて上段後側流路（132）へ流入する。そして、減湿されて冷却された第１の空気は、給気口（135）の箱形部（136）へ流入し、室内へ供給される。
【０１４９】
一方、第２吸着素子（82）から流出した第２の空気は、下段左前流路（113）から左前開口（103）を通って中段前側流路（121）へ流入する。中段前側流路（121）の第２の空気は、第２ファン（144）に吸引されて上段前側流路（131）へ流入する。その後、第２の空気は、第２排気口（134）を通って室外へ排気される。
【０１５０】
除湿運転時の第２動作では、第１動作とは逆に、第２吸着素子（82）において空気が減湿されると同時に、第１吸着素子（81）の吸着剤が再生される。
【０１５１】
下段部（110）では、回動ダンパ（140）が右側に倒されて、吸込口（116）が下段左前流路（113）と連通する。また、第１スライドダンパ（141）が移動して下段右後流路（112）が下段中央流路（115）と連通し、第２スライドダンパ（142）が移動して第２吸着素子（82）の冷却側通路（86）が下段中央流路（115）と連通する。
【０１５２】
この状態で、下段左前流路（113）へは、吸込口（116）から室外空気が第１の空気として流入する。第１の空気は、下段左前流路（113）から第２吸着素子（82）の調湿側通路（85）へ流入する。この調湿側通路（85）を流れる間に、第１の空気に含まれる水蒸気が吸着剤に吸着される。調湿側通路（85）で減湿された第１の空気は、下段左後流路（114）へ流入する。
【０１５３】
一方、下段部（110）の左側面に開口する第２吸着素子（82）の冷却側通路（86）へは、室外空気が第２の空気として流入する。この冷却側通路（86）を流れる間に、第２の空気は、調湿側通路（85）で水蒸気が吸着剤に吸着される際に生じた吸着熱を吸熱する。吸着熱を奪った第２の空気は、下段中央流路（115）へ流入する。下段中央流路（115）を流れる間に、第２の空気は再生熱交換器（92）を通過する。再生熱交換器（92）において、第２の空気は、冷媒との熱交換を行い、冷媒の凝縮熱を吸熱する。
【０１５４】
第２吸着素子（82）及び再生熱交換器（92）で加熱された第２の空気は、下段右後流路（112）を流れ、第１吸着素子（81）の調湿側通路（85）へ導入される。この調湿側通路（85）では、第２の空気によって吸着剤が加熱され、吸着剤から水蒸気が脱離する。つまり、吸着剤の再生が行われる。吸着剤から脱離した水蒸気は、第２の空気と共に下段右前流路（111）へ流入する。
【０１５５】
第１仕切パネル（101）では、右前開口（102）及び左後開口（105）が開放され、右後開口（104）及び左前開口（103）が閉鎖されている。上段部（130）では、第２排気口（134）が開放され、第１排気口（133）が閉鎖されている。給気口（135）では、箱形部（136）の前面が閉鎖され、その背面が開放されている。
【０１５６】
この状態で、第２吸着素子（82）において減湿された第１の空気は、下段左後流路（114）から左後開口（105）を通って中段後側流路（122）へ流入する。中段後側流路（122）を流れる間に、第１の空気は冷却熱交換器（93）を通過する。冷却熱交換器（93）において、第１の空気は、冷媒との熱交換を行い、冷媒に対して放熱する。その後、第１の空気は、第１ファン（143）に吸引されて上段後側流路（132）へ流入する。そして、減湿されて冷却された第１の空気は、給気口（135）の箱形部（136）へ流入し、室内へ供給される。
【０１５７】
一方、第１吸着素子（81）から流出した第２の空気は、下段右前流路（111）から右前開口（102）を通って中段前側流路（121）へ流入する。中段前側流路（121）の第２の空気は、第２ファン（144）に吸引されて上段前側流路（131）へ流入する。その後、第２の空気は、第２排気口（134）を通って室外へ排気される。
【０１５８】
《加湿運転》
上記空気調和装置は、第１動作と第２動作とを交互に繰り返すことによって加湿運転を行う。その際、第１ファン（143）及び第２ファン（144）が駆動されると共に、冷媒回路で冷媒を循環させて冷凍サイクルが行われる。ここでは、加湿運転時の第１動作及び第２動作について、図１３を参照しながら説明する。
【０１５９】
加湿運転時の第１動作では、第１吸着素子（81）において空気が加湿されると同時に、第２吸着素子（82）の吸着剤に水蒸気が吸着される。
【０１６０】
下段部（110）では、回動ダンパ（140）が右側に倒されて、吸込口（116）が下段左前流路（113）と連通する。また、第１スライドダンパ（141）が移動して下段右後流路（112）が下段中央流路（115）と連通し、第２スライドダンパ（142）が移動して第２吸着素子（82）の冷却側通路（86）が下段中央流路（115）と連通する。
【０１６１】
この状態で、下段左前流路（113）へは、吸込口（116）から室外空気が第１の空気として流入する。第１の空気は、下段左前流路（113）から第２吸着素子（82）の調湿側通路（85）へ流入する。この調湿側通路（85）を流れる間に、第１の空気に含まれる水蒸気が吸着剤に吸着される。調湿側通路（85）で水分を奪われた第１の空気は、下段左後流路（114）へ流入する。
【０１６２】
一方、下段部（110）の左側面に開口する第２吸着素子（82）の冷却側通路（86）へは、室外空気が第２の空気として流入する。この冷却側通路（86）を流れる間に、第２の空気は、調湿側通路（85）で水蒸気が吸着剤に吸着される際に生じた吸着熱を吸熱する。吸着熱を奪った第２の空気は、下段中央流路（115）へ流入する。下段中央流路（115）を流れる間に、第２の空気は再生熱交換器（92）を通過する。再生熱交換器（92）において、第２の空気は、冷媒との熱交換を行い、冷媒の凝縮熱を吸熱する。
【０１６３】
第２吸着素子（82）及び再生熱交換器（92）で加熱された第２の空気は、下段右後流路（112）を流れ、第１吸着素子（81）の調湿側通路（85）へ導入される。この調湿側通路（85）では、第２の空気によって吸着剤が加熱され、吸着剤から水蒸気が脱離する。つまり、吸着剤の再生が行われる。そして、吸着剤から脱離した水蒸気が第２の空気に付与され、第２の空気が加湿される。第１吸着素子（81）において加湿された第２の空気は、下段右前流路（111）へ流入する。
【０１６４】
第１仕切パネル（101）では、右前開口（102）及び左後開口（105）が開放され、右後開口（104）及び左前開口（103）が閉鎖されている。上段部（130）では、第１排気口（133）が開放され、第２排気口（134）が閉鎖されている。給気口（135）では、箱形部（136）の前面が開放され、その背面が閉鎖されている。
【０１６５】
この状態で、第１吸着素子（81）において加湿された第２の空気は、下段右前流路（111）から右前開口（102）を通って中段前側流路（121）へ流入する。中段前側流路（121）の第２の空気は、第２ファン（144）に吸引されて上段前側流路（131）へ流入する。そして、加熱されて加湿された第２の空気は、給気口（135）の箱形部（136）へ流入し、室内へ供給される。
【０１６６】
一方、第２吸着素子（82）において水分を奪われた第１の空気は、下段左後流路（114）から左後開口（105）を通って中段後側流路（122）へ流入する。中段後側流路（122）を流れる間に、第１の空気は冷却熱交換器（93）を通過する。冷却熱交換器（93）において、第１の空気が冷媒と熱交換を行い、冷媒回路の冷媒が第１の空気から吸熱する。その後、第１の空気は、第１ファン（143）に吸引されて上段後側流路（132）へ流入し、第１排気口（133）を通って室外へ排気される。
【０１６７】
加湿運転時の第２動作では、第１動作とは逆に、第２吸着素子（82）において空気が加湿されると同時に、第１吸着素子（81）の吸着剤に水蒸気が吸着される。
【０１６８】
下段部（110）では、回動ダンパ（140）が左側に倒されて、吸込口（116）が下段右前流路（111）と連通する。また、第１スライドダンパ（141）が移動して第１吸着素子（81）の冷却側通路（86）が下段中央流路（115）と連通し、第２スライドダンパ（142）が移動して下段左後流路（114）が下段中央流路（115）と連通する。
【０１６９】
この状態で、下段右前流路（111）へは、吸込口（116）から室外空気が第１の空気として流入する。第１の空気は、下段右前流路（111）から第１吸着素子（81）の調湿側通路（85）へ流入する。この調湿側通路（85）を流れる間に、第１の空気に含まれる水蒸気が吸着剤に吸着される。調湿側通路（85）で水分を奪われた第１の空気は、下段右後流路（112）へ流入する。
【０１７０】
一方、下段部（110）の右側面に開口する第１吸着素子（81）の冷却側通路（86）へは、室外空気が第２の空気として流入する。この冷却側通路（86）を流れる間に、第２の空気は、調湿側通路（85）で水蒸気が吸着剤に吸着される際に生じた吸着熱を吸熱する。吸着熱を奪った第２の空気は、下段中央流路（115）へ流入する。下段中央流路（115）を流れる間に、第２の空気は再生熱交換器（92）を通過する。再生熱交換器（92）において、第２の空気は、冷媒との熱交換を行い、冷媒の凝縮熱を吸熱する。
【０１７１】
第１吸着素子（81）及び再生熱交換器（92）で加熱された第２の空気は、下段左後流路（114）を流れ、第２吸着素子（82）の調湿側通路（85）へ導入される。この調湿側通路（85）では、第２の空気によって吸着剤が加熱され、吸着剤から水蒸気が脱離する。つまり、吸着剤の再生が行われる。そして、吸着剤から脱離した水蒸気が第２の空気に付与され、第２の空気が加湿される。第２吸着素子（82）において加湿された第２の空気は、下段左前流路（113）へ流入する。
【０１７２】
第１仕切パネル（101）では、右後開口（104）及び左前開口（103）が開放され、右前開口（102）及び左後開口（105）が閉鎖されている。上段部（130）では、第１排気口（133）が開放され、第２排気口（134）が閉鎖されている。給気口（135）では、箱形部（136）の前面が開放され、その背面が閉鎖されている。
【０１７３】
この状態で、第２吸着素子（82）において加湿された第２の空気は、下段左前流路（113）から左前開口（103）を通って中段前側流路（121）へ流入する。中段前側流路（121）の第２の空気は、第２ファン（144）に吸引されて上段前側流路（131）へ流入する。そして、加熱されて加湿された第２の空気は、給気口（135）の箱形部（136）へ流入し、室内へ供給される。
【０１７４】
一方、第１吸着素子（81）において水分を奪われた第１の空気は、下段右後流路（112）から右後開口（104）を通って中段後側流路（122）へ流入する。中段後側流路（122）を流れる間に、第１の空気は冷却熱交換器（93）を通過する。冷却熱交換器（93）において、第１の空気が冷媒と熱交換を行い、冷媒回路の冷媒が第１の空気から吸熱する。その後、第１の空気は、第１ファン（143）に吸引されて上段後側流路（132）へ流入し、第１排気口（133）を通って室外へ排気される。
【０１７５】
【発明のその他の実施の形態】
−第１変形例−
本発明に係る吸着素子（81,82）は、次のような構成であってもよい。
【０１７６】
図１４に示すように、本変形例の吸着素子（81,82）は、第１部材（210）と第２部材（220）とを複数ずつ交互に積層することによって、直方体状に形成されている。
【０１７７】
直方体状の吸着素子（81,82）において、第１部材（210）や第２部材（220）の積層方向と平行な側面には、調湿側通路（85）や冷却側通路（86）が開口している。具体的に、４つの側面のうち対向する二面には、第１部材（210）により形成されて第１空気の流れる調湿側通路（85）が開口する一方、残りの対向する二面には、第２部材（220）により形成されて第１空気の流れる冷却側通路（86）が開口している。
【０１７８】
また、直方体状の吸着素子（81,82）において、第１部材（210）や第２部材（220）の積層方向の両端に位置する端面は、調湿側通路（85）及び冷却側通路（86）の何れも開口しない閉塞端面（240）を構成している。この閉塞端面（240）は、長方形状に形成されており、長辺の長さがＬ1となり短辺の長さがＬ2となっている。そして、上記吸着素子（81,82）では、閉塞端面（240）の長辺側に位置する側面に調湿側通路（85）が開口し、閉塞端面（240）の短辺側に位置する側面に冷却側通路（86）が開口している。
【０１７９】
図１５に示すように、第１部材（210）は、長方形板状に形成されており、仕切部材を構成している。具体的に、第１部材（210）は、長辺の長さがＬ1、短辺の長さがＬ2、厚さがｔ1となっている。この第１部材（210）は、１枚の波板（213）を２枚の平板（211,212）で挟み込むことによって構成されている。第１部材（210）において、波板（213）は、その稜線方向が平板（211,212）の短辺と平行になる姿勢で配置されている。そして、第１部材（210）では、２枚の平板（211,212）の間に調湿側通路（85）が形成されている。
【０１８０】
上記第１部材（210）において、各平板（211,212）と波板（213）とは、セラミック紙やガラス繊維紙などの繊維紙によって構成されている。そして、各平板（211,212）の内側の表面及び波板（213）の表面には、水蒸気を吸着するための吸着剤が塗布されている。この吸着剤としては、例えば、シリカゲル、ゼオライト、イオン交換樹脂等が用いられている。
【０１８１】
図１６に示すように、第２部材（220）は、長方形の枠状に形成されている。具体的に、第２部材（220）は、長辺の長さがＬ1、短辺の長さがＬ2、厚さがｔ2となっている。この第２部材（220）は、長方形平板状のいわゆるプラスチック段ボールの中央部を打ち抜くことで、枠状に形成されている。
【０１８２】
具体的に、第２部材（220）は、対向するように配置された２つの平板部（221,222）と、その間に設けられた補強桟部（223）とを備えている。補強桟部（223）は、２つの平板部（221,222）の間隙を保持するため、平板部（221,222）と直交する方向に形成されている。また、補強桟部（223）は、その伸長方向が第２部材（220）の長辺と平行となっている。
【０１８３】
上記第２部材（220）では、平板部（221,222）の間に冷却側通路（86）が形成されている。また、第１部材（210）と第２部材（220）が積層された吸着素子（81,82）において、第２部材（220）の打ち抜き部分は、その両側を第１部材（210）によって塞がれた状態となっており、この部分も冷却側通路（86）を構成している。尚、第２部材（220）において、平板部（221,222）や補強桟部（223）の表面に吸着剤は塗布されていない。
【０１８４】
−第２変形例−
本発明に係る吸着素子（81,82）は、次のような構成であってもよい。
【０１８５】
図１７〜図２０に示すように、本変形例の吸着素子（81,82）は、複数の素子要素（251,252,253,254）を備えている。この吸着素子（81,82）は、複数の素子要素（251〜254）が組み合わされたものであって、全体として直方体状に形成されている。
【０１８６】
図１７〜図２０には、上記第１変形例に係る吸着素子（81,82）に本変形例を適用したものが示されている。複数の素子要素（251〜254）で構成された本変形例の吸着素子（81,82）は、その全体形状が上記第１変形例に係る吸着素子（81,82）と同様になっている（図１４参照）。
【０１８７】
本変形例の吸着素子（81,82）において、各素子要素（251〜254）は、第１部材（210）と第２部材（220）とを複数ずつ交互に積層することによって、直方体状に形成されている。第１部材（210）や第２部材（220）の構成は、上記第１変形例のものと同様である（図１５，図１６参照）。ただし、本変形例における第１部材（210）及び第２部材（220）の大きさは、上記第１変形例のものと同じ場合もあれば、異なる場合もある。
【０１８８】
直方体状の素子要素（251〜254）において、第１部材（210）や第２部材（220）の積層方向と平行な側面には、調湿側通路（85）や冷却側通路（86）が開口している。具体的に、４つの側面のうち対向する二面には、第１部材（210）により形成されて第１空気の流れる調湿側通路（85）が開口する一方、残りの対向する二面には、第２部材（220）により形成されて第１空気の流れる冷却側通路（86）が開口している。また、この素子要素（251〜254）において、４つの側面と直交する端面には、調湿側通路（85）及び冷却側通路（86）の何れも開口していない。
【０１８９】
図１７に示す吸着素子（81,82）は、３つの素子要素（251）で構成されている。この素子要素（251）の第１部材（210）及び第２部材（220）は、上記第１変形例のものと同様の長方形状に形成されている。つまり、その第１部材（210）や第２部材（220）は、長辺の長さがＬ1となり短辺の長さがＬ2となっている。また、各素子要素（251）では、第１部材（210）や第２部材（220）の積層方向の長さがＷ/３となっている。
【０１９０】
同図の吸着素子（81,82）において、３つの素子要素（251）は、隣接する素子要素（251）の端面が互いに向かい合う姿勢で、手前から奥へ向かって一列に並べられている。そして、吸着素子（81,82）の全体形状は、横幅がＬ1、高さがＬ2、奥行きがＷの直方体状となっている。
【０１９１】
また、同図の吸着素子（81,82）において、最も手前に配置された素子要素（251）の手前側の端面と、最も奥に配置された素子要素（251）の奥側の端面とは、吸着素子（81,82）の閉塞端面（240）を構成している。この閉塞端面（240）は、長辺の長さがＬ1で短辺の長さがＬ2の長方形状となっている。そして、吸着素子（81,82）の全体を見ると、閉塞端面（240）の長辺側の側面に調湿側通路（85）が開口し、閉塞端面（240）の短辺側の側面に冷却側通路（86）が開口している。
【０１９２】
図１８に示す吸着素子（81,82）は、２つの素子要素（252）で構成されている。この素子要素（252）の第１部材（210）及び第２部材（220）は、上記第１変形例のものをその長辺の中央で２つに分割したような四角形状に形成されている。つまり、その第１部材（210）や第２部材（220）は、一辺の長さがＬ1/２となり、その一辺と直交する辺の長さがＬ2となっている。また、各素子要素（252）は、第１部材（210）や第２部材（220）の積層方向の長さがＷとなっている。
【０１９３】
同図の吸着素子（81,82）において、２つの素子要素（252）は、素子要素（251）において冷却側通路（86）の開口する側面が互いに向かい合う姿勢で、左右に並べられている。そして、吸着素子（81,82）の全体形状は、横幅がＬ1、高さがＬ2、奥行きがＷの直方体状となっている。
【０１９４】
また、同図の吸着素子（81,82）では、左右に並んだ２つの素子要素（252）の端面によって、閉塞端面（240）が形成されている。この吸着素子（81,82）の閉塞端面（240）は、素子要素（252）の四角形状の端面を２つ合わせることによって、長方形状に形成されている。具体的に、この閉塞端面（240）は、長辺の長さがＬ1で短辺の長さがＬ2の長方形状となっている。そして、吸着素子（81,82）の全体を見ると、閉塞端面（240）の長辺側の側面に調湿側通路（85）が開口し、閉塞端面（240）の短辺側の側面に冷却側通路（86）が開口している。
【０１９５】
図１９に示す吸着素子（81,82）は、２つの素子要素（253）で構成されている。この素子要素（253）の第１部材（210）及び第２部材（220）は、上記第１変形例のものをその短辺の中央で２つに分割したような長方形状に形成されている。つまり、その第１部材（210）や第２部材（220）は、長辺の長さがＬ1となり、短辺の長さがＬ2/２となっている。また、各素子要素（253）は、第１部材（210）や第２部材（220）の積層方向の長さがＷとなっている。
【０１９６】
同図の吸着素子（81,82）において、２つの素子要素（253）は、素子要素（251）において調湿側通路（85）の開口する側面が互いに向かい合う姿勢で、上下に積み重ねられている。そして、この吸着素子（81,82）の全体形状は、横幅がＬ1、高さがＬ2、奥行きがＷの直方体状となっている。
【０１９７】
また、同図の吸着素子（81,82）では、上下に並んだ２つの素子要素（253）の端面によって、閉塞端面（240）が形成されている。この吸着素子（81,82）の閉塞端面（240）は、素子要素（253）の四角形状の端面を２つ合わせることによって、長方形状に形成されている。具体的に、この閉塞端面（240）は、長辺の長さがＬ1で短辺の長さがＬ2の長方形状となっている。そして、吸着素子（81,82）の全体を見ると、閉塞端面（240）の長辺側の側面に調湿側通路（85）が開口し、閉塞端面（240）の短辺側の側面に冷却側通路（86）が開口している。
【０１９８】
図２０に示す吸着素子（81,82）は、８つの素子要素（254）で構成されている。この素子要素（254）の第１部材（210）及び第２部材（220）は、上記第１変形例のものをその長辺と短辺の中央で４つに分割したような長方形状に形成されている。つまり、その第１部材（210）や第２部材（220）は、長辺の長さがＬ1/２となり、短辺の長さがＬ2/２となっている。また、各素子要素（254）は、第１部材（210）や第２部材（220）の積層方向の長さがＷ/２となっている。
【０１９９】
同図の吸着素子（81,82）において、８つの素子要素（254）は、所定の姿勢で配置されている。具体的に、上下に隣接する素子要素（254）は、それぞれにおいて調湿側通路（85）の開口する側面が互いに向かい合う姿勢となっている。また、左右に隣接する素子要素（254）は、それぞれにおいて冷却側通路（86）の開口する側面が互いに向かい合う姿勢となっている。また、前後に隣接する素子要素（254）は、それぞれの端面が互いに向かい合う姿勢となっている。そして、この吸着素子（81,82）の全体形状は、横幅がＬ1、高さがＬ2、奥行きがＷの直方体状となっている。
【０２００】
また、同図の吸着素子（81,82）では、上下左右に並んだ４つの素子要素（254）の端面によって、閉塞端面（240）が形成されている。この吸着素子（81,82）の閉塞端面（240）は、素子要素（254）の四角形状の端面を４つ合わせることによって、長方形状に形成されている。具体的に、この閉塞端面（240）は、長辺の長さがＬ1で短辺の長さがＬ2の長方形状となっている。そして、吸着素子（81,82）の全体を見ると、閉塞端面（240）の長辺側の側面に調湿側通路（85）が開口し、閉塞端面（240）の短辺側の側面に冷却側通路（86）が開口している。
【０２０１】
尚、本変形例の吸着素子（81,82）において、これを構成する複数の素子要素（251〜254）は、互いに密着していなくてもよい。つまり、この吸着素子（81,82）では、素子要素（251〜254）同士の間に多少隙間があってもよい。
【０２０２】
また、この吸着素子（81,82）において、各素子要素（251〜254）は、必ずしも互いに固着されていなくてもよい。つまり、複数の素子要素（251〜254）をそれぞれ空気調和装置のケーシング（10）に収納すると、このケーシング（10）内において複数の素子要素（251〜254）が１つの吸着素子（81,82）を形成するようなものであってもよい。
【０２０３】
−第３変形例−
上記各実施形態の空気調和装置では、再生熱交換器（92）において第２空気を冷媒と熱交換させ、冷媒の凝縮熱で第２空気を加熱しているが、これに代えて、次のようにしてもよい。
【０２０４】
つまり、再生熱交換器（92）において第２空気を温水と熱交換させ、温水によって第２空気を加熱してもよい。この場合には、空気調和装置における再生温度、即ち再生熱交換器（92）から吸着素子（81,82）へ送られる第２空気の温度を６０℃〜８０℃程度とすることができる。従って、本変形例では、吸着素子（81,82）の形状を、例えばＬ1/Ｌ2＝２.５程度となるようにするとよい。
【０２０５】
また、再生熱交換器（92）で第２空気を加熱するための媒体としては、冷媒や温水だけでなく、例えば燃焼ガスなどを用いることも可能である。この場合には、空気調和装置における再生温度を１００℃程度とすることも可能である。
【０２０６】
尚、上記各実施形態の空気調和装置において、再生温度は必ずしも一定ではなく、再生熱交換器（92）へ導入される第２空気の温度によって変化する。そして、この空気調和装置では、再生温度の変動範囲の下限値が３０℃程度となる。
【０２０７】
つまり、大きさ等の制約から、再生熱交換器（92）の性能には限りがある。このため、再生熱交換器（92）の出入口における第２空気の温度差は、最大でも４０℃程度となる。一方、この空気調和装置が運転される際の外気温は、最低で−１０℃程度と考えられる。従って、第２空気として室外空気を用いた場合を想定すると、−１０℃の第２空気を再生熱交換器（92）で４０℃だけ温度上昇させることになり、その場合の再生温度は３０℃となる。
【０２０８】
このように、上記各実施形態の空気調和装置において、冷媒の凝縮熱で第２空気を加熱する場合には、再生温度が３０℃以上６０℃以下の範囲で変動することになる。また、燃焼ガスで第２空気を加熱する場合には、再生温度が３０℃以上１００℃以下の範囲で変動することになる。
【図面の簡単な説明】
【図１】実施形態１に係る空気調和装置の構成を示す概略斜視図である。
【図２】実施形態１に係る空気調和装置の回転ダンパを示す概略斜視図である。
【図３】実施形態１に係る空気調和装置の吸着素子を示す概略斜視図である。
【図４】実施形態１に係る空気調和装置の要部を示す模式図である。
【図５】実施形態１に係る空気調和装置の除湿運転中の第１動作を示す分解斜視図である。
【図６】実施形態１に係る空気調和装置の除湿運転中の第２動作を示す分解斜視図である。
【図７】実施形態１に係る空気調和装置の加湿運転中の第１動作を示す分解斜視図である。
【図８】実施形態１に係る空気調和装置の加湿運転中の第２動作を示す分解斜視図である。
【図９】平板部材の長辺と短辺の比Ｌ1/Ｌ2と吸着素子の水蒸気吸着量との関係を示す関係図である。
【図１０】実施形態１の効果を説明するための空気調和装置の構成を示す模式図である。
【図１１】実施形態２に係る空気調和装置の構成を示す分解斜視図である。
【図１２】実施形態２に係る空気調和装置の除湿運転を示す模式図である。
【図１３】実施形態２に係る空気調和装置の加湿運転を示す模式図である。
【図１４】その他の実施形態の第１変形例に係る吸着素子を示す概略斜視図である。
【図１５】その他の実施形態の第１変形例に係る吸着素子の第１部材を示す概略斜視図である。
【図１６】その他の実施形態の第１変形例に係る吸着素子の第２部材を示す概略斜視図である。
【図１７】その他の実施形態の第２変形例に係る吸着素子を示す概略斜視図である。
【図１８】その他の実施形態の第２変形例に係る吸着素子を示す概略斜視図である。
【図１９】その他の実施形態の第２変形例に係る吸着素子を示す概略斜視図である。
【図２０】その他の実施形態の第２変形例に係る吸着素子を示す概略斜視図である。
【符号の説明】
（81）  第１吸着素子
（82）  第２吸着素子
（83）  平板部材（仕切部材）
（85）  調湿側通路
（86）  冷却側通路
（210） 第１部材（仕切部材）
（240） 閉塞端面
（251） 素子要素
（252） 素子要素
（253） 素子要素
（254） 素子要素
【図１】
0003668846.tif 000002
【図２】
0003668846.tif 000003
【図３】
0003668846.tif 000004
【図４】
0003668846.tif 000005
【図５】
0003668846.tif 000006
【図６】
0003668846.tif 000007
【図７】
0003668846.tif 000008
【図８】
0003668846.tif 000009
【図９】
0003668846.tif 000010
【図１０】
0003668846.tif 000011
【図１１】
0003668846.tif 000012
【図１２】
0003668846.tif 000013
【図１３】
0003668846.tif 000014
【図１４】
0003668846.tif 000015
【図１５】
0003668846.tif 000016
【図１６】
0003668846.tif 000017
【図１７】
0003668846.tif 000018
【図１８】
0003668846.tif 000019
【図１９】
0003668846.tif 000020
【図２０】
0003668846.tif 000021